(57)【特許請求の範囲】
【請求項１】
サッシ枠と、サッシ枠の縦枠同士を連結する方立とを備え、方立は、中空部を有する形材であり、室内側端部に左右の縦枠との隙間を隠す張り出し部を有し、室外側端部が縦枠より室外側に張り出しており、張り出し部と室外側の見付壁との間が中空部となっており、張り出し部を縦枠にネジ止めしてあることを特徴とする建具。
【請求項２】
サッシ枠と、サッシ枠の縦枠同士を連結する方立とを備え、方立は、中空部を有する形材であり、縦枠との係合部を有し、室外側の見付壁が係合部よりも側方に張り出しており、室内側端部に左右の縦枠との隙間を隠す張り出し部を有し、室外側端部が縦枠より室外側に張り出しており、張り出し部を縦枠にネジ止めしてあることを特徴とする建具。
【請求項３】
サッシ枠と、サッシ枠の縦枠同士を連結する方立とを備え、方立は、中空部を有する形材であり、見込壁に突部を有し、室内側端部に左右の縦枠との隙間を隠す張り出し部を有し、室外側端部が縦枠より室外側に張り出しており、張り出し部を縦枠にネジ止めしてあり、張り出し部と突部とで縦枠の室内側端部を保持していることを特徴とする建具。
【発明の詳細な説明】
【技術分野】
【０００１】
本発明は、隣接するサッシ枠の縦枠同士を方立で連結した建具に関する。
【背景技術】
【０００２】
ビル等の窓では、複数の窓枠の縦枠同士を方立で連結し、連窓としたものがある。このような窓では、火災時に縦枠や方立が火災の熱で変形したり溶融したりするのに伴って、縦枠と方立との間に隙間ができ、その隙間を通じて火炎や煙等が室内外を連通するおそれがある。
【発明の概要】
【発明が解決しようとする課題】
【０００３】
本発明は以上に述べた実情に鑑み、縦枠同士を方立で連結した建具の防火性能の向上を目的とする。
【課題を解決するための手段】
【０００４】
上記の課題を達成するために請求項１記載の発明による建具は、サッシ枠と、サッシ枠の縦枠同士を連結する方立とを備え、方立は、中空部を有する形材であり、室内側端部に左右の縦枠との隙間を隠す張り出し部を有し、室外側端部が縦枠より室外側に張り出しており、張り出し部と室外側の見付壁との間が中空部となっており、張り出し部を縦枠にネジ止めしてあることを特徴とする。
【０００５】
請求項２記載の発明による建具は、サッシ枠と、サッシ枠の縦枠同士を連結する方立とを備え、方立は、中空部を有する形材であり、縦枠との係合部を有し、室外側の見付壁が係合部よりも側方に張り出しており、室内側端部に左右の縦枠との隙間を隠す張り出し部を有し、室外側端部が縦枠より室外側に張り出しており、張り出し部を縦枠にネジ止めしてあることを特徴とする。
【０００６】
請求項３記載の発明による建具は、サッシ枠と、サッシ枠の縦枠同士を連結する方立とを備え、方立は、中空部を有する形材であり、見込壁に突部を有し、室内側端部に左右の縦枠との隙間を隠す張り出し部を有し、室外側端部が縦枠より室外側に張り出しており、張り出し部を縦枠にネジ止めしてあり、張り出し部と突部とで縦枠の室内側端部を保持していることを特徴とする。
【発明の効果】
【０００７】
請求項１記載の発明による建具は、方立が中空部を有する形材であること、方立の室内側端部に左右の縦枠との隙間を隠す張り出し部を有し、張り出し部を縦枠にネジ止めしてあること、方立の室外側端部が縦枠より室外側に張り出していること、方立の張り出し部と室外側の見付壁との間が中空部となっていることにより、加熱面側から非加熱面側への放熱が促進され、方立や縦枠の溶融や変形を抑制できるので、防火性能が向上する。
【０００８】
請求項２記載の発明による建具は、方立が中空部を有する形材であること、方立の室内側端部に左右の縦枠との隙間を隠す張り出し部を有し、張り出し部を縦枠にネジ止めしてあること、方立の室外側端部が縦枠より室外側に張り出していることにより、加熱面側から非加熱面側への放熱が促進され、方立や縦枠の溶融や変形を抑制できるので、防火性能が向上する。方立は縦枠との係合部を有し、室外側の見付壁が係合部よりも側方に張り出していることで、係合部が見付壁で隠れるため、防火性能がさらに向上する。
【０００９】
請求項３記載の発明による建具は、方立が中空部を有する形材であること、方立の室内側端部に左右の縦枠との隙間を隠す張り出し部を有し、張り出し部を縦枠にネジ止めしてあること、方立の室外側端部が縦枠より室外側に張り出していることにより、加熱面側から非加熱面側への放熱が促進され、方立や縦枠の溶融や変形を抑制できるので、防火性能が向上する。方立は見込壁に突部を有し、張り出し部と突部とで縦枠の室内側端部を保持していることで、縦枠が方立との係合が解除される方向に移動するのを長手方向で規制するため、火災時に縦枠と方立間の隙間の発生をより確実に抑制することができ、火炎や煙の連通を防止できるので、防火性能がさらに向上する。
【図面の簡単な説明】
【００１０】
【図１】本発明の建具の第１実施形態を示す横断面図（図３のＡ−Ａ断面）である。
【図２】本発明の建具の第２実施形態を示す横断面図（図３のＡ−Ａ断面）である。
【図３】本発明の一実施形態に係る建具の室内側正面図である。
【発明を実施するための形態】
【００１１】
以下、本発明の実施の形態を図面に基づいて説明する。図１，３は、本発明の建具の第１実施形態を示している。この建具は、ビルの窓に用いられるものであって、図３に示すように、左右に隣接して配置されたサッシ枠１，１の縦枠２，２同士を方立３で連結し、連窓にしたものである。
各サッシ枠１には、図１に示すように、室内側から複層ガラス１１を嵌め込み、室内側に押縁１２を取付け、サッシ枠１の室外側のガラス保持片１３及び室内側の押縁１２と複層ガラス１１との間に、バックアップ材１４とシール材１５を装填して複層ガラス１１を固定してあり、いわゆる嵌め殺し窓となっている。
サッシ枠１の縦枠２は、アルミニウム合金の押出形材よりなり、図１に示すように、外周側が開放した略コ字状断面となっており、縦枠２の室外側縁部１６は室内側に向けて鉤状に曲がった形に形成され、縦枠２の室内側縁部１７は室外側に向けて鉤状に曲がった形に形成されている。
【００１２】
方立３は、アルミニウム合金の押出形材よりなり、図１に示すように、室外側及び室内側の見付壁１９，２０と一対の見込み壁２１，２１とからなる見込み方向に長い矩形断面の中空部２２を有している。室外側の見付壁１９は、見込み壁２１，２１よりも側方に張り出している。一対の見込み壁２１，２１の室外側寄りの位置には、室外側に向けて鉤状に曲がった爪６が長手方向に沿って設けてあり、その爪６に縦枠２の室外側縁部１６が室外側から係合している。方立３の室外側端部は縦枠２よりも室外側に張り出しており、方立３の室外側の見付壁１９の張り出し部分１９ａと縦枠２の室外側面との間には、耐火性のバックアップ材３２を挿入した上でシール材３３を充填し、雨水の浸入を防いでいる。
方立３の室内側端部には、左右の縦枠２，２との隙間を隠す張り出し部８，８を一体に有しており、その張り出し部８，８を縦枠２に室内側からのネジ３５で固定してある。
方立３の室内側には、アルミ又は樹脂の押出形材よりなるコ字形断面のカバー４１が、方立３の張り出し部８，８の先端に室内側から係止して取付けられ、ネジ３５を隠している。
【００１３】
以上に述べたように本実施形態の建具は、縦枠２，２との隙間を隠す張り出し部８，８を方立３に一体に設けたことで、方立３に別体の目板を取付けて縦枠２，２との隙間を隠した場合と比べ、張り出し部８，８と方立３の見込み壁２１，２１間の熱伝導性が優れており、しかも方立３は中空部２２を有する形材で見込み壁２１，２１が一対設けられ、尚且つ室外側端部が縦枠２より室外側に張り出していることにより、加熱面側から非加熱面側への放熱（例えば、室内で火災が発生した場合には、室内側から室外側への放熱）が促進され、方立３や縦枠２の溶融や変形を抑制できるので、防火性能が向上する。
さらに本実施形態の建具は、縦枠２の室外側縁部１６が方立３の爪６に室外側から係合し、方立３の張り出し部８，８を縦枠２，２に室内側からネジ止めしてあるので、火災時に縦枠２，２と方立３間の隙間の発生を抑制し、火炎や煙の連通を防止できるので、防火性能が向上する。
【００１４】
図２は、本発明の建具の第２実施形態を示している。本実施形態の建具は、方立３の室内側端部の張り出し部８，８より室外側に離間した見込み壁２１，２１上に突部７が長手方向に沿って設けてあり、縦枠２の室内側縁部１７を張り出し部８と突部７間に保持した上で室内側からのネジ３５で固定してある。それ以外の点は、第１実施形態と同様である。
本実施形態の建具は、上述のように縦枠２の室内側縁部１７を張り出し部８と突部７間に保持したことで、縦枠２が方立３との係合が解除される方向（室外側）に移動するのを長手方向で規制するため、火災時に縦枠２と方立３間の隙間の発生をより確実に抑制することができ、火炎や煙の連通を防止できるので、防火性能がさらに向上する。
【００１５】
本発明は以上に述べた実施形態に限定されない。縦枠及び方立の断面形状は、適宜変更することができる。縦枠と方立との係合部の構造は問わない。本発明の建具は、実施形態のような嵌め殺し窓に限らず、サッシ枠内に２枚の障子を引違い状に開閉自在に収めた引違い窓や、サッシ枠内に１枚の障子をすべり出し式に開閉自在に収めたすべり出し窓等に適用することもできる。
【符号の説明】
【００１６】
１  サッシ枠
２  縦枠
３  方立
６  爪
７  突部
８  張り出し部
【図１】
0006280891.tif 000002
【図２】
0006280891.tif 000003
【図３】
0006280891.tif 000004